(57)【特許請求の範囲】
【請求項１】
複数の磁化可能な部分をその上に備える包装材料であって、前記包装材料から形成される１つの包装につき少なくとも１つのスポットを備え、前記磁化可能な部分の少なくとも１つが、磁界パターンを担持する磁気マークを提供し、前記磁界パターンが、第１の極性を有する第１の磁界ピーク及び第２の反対の極性を有する第２の磁界ピークを備え、前記包装の底部と頂部を連結するフランジ又はジョイントと平行に規定される縦方向、前記縦方向に対して垂直の横方向、及び前記第１のピークの中間点と前記磁界パターンの前記第２のピークとの間の想像線を備え、前記想像線と前記縦方向との間の角度が−１０°から１０°の間、好ましくは−５°から５°の間、好ましくは約０°となるように前記磁界パターンが構成され、前記磁気パターンの前記ピークが、実質的に一定の磁界強度を前記磁気パターンの幅に沿って前記想像線に対して垂直方向に形成し、著しく減少する磁界強度を前記磁気パターンの前記幅の外側に前記想像線に対して前記垂直方向に形成する分布を有する、材料。
【請求項２】
前記幅が、少なくとも２ｍｍ、好ましくは少なくとも４ｍｍ、好ましくは少なくとも６ｍｍである、請求項１に記載の材料。
【請求項３】
前記第２の磁界ピークが、前記材料の平面内で前記第１のピークを取り囲み、前記第１の磁界ピークに対する第２の反対の極性を有するように分布させられる、請求項１または請求項２に記載の材料。
【請求項４】
前記磁界パターンが、前記材料の平面内に位置を規定する、請求項１から３までのいずれかに記載の材料。
【請求項５】
前記位置が、包装の仕上がりを強化するための前処理特徴部分に関して規定され、前記前処理特徴部分が、折れ目線、開口部、穴、包装の境界又は封止部、ウェブ開始部、ウェブの終端部、光学的マークの位置決め、包装の外側用の印刷を含む群のうちのいずれかを含む、請求項４に記載の材料。
【請求項６】
前処理特徴部分の領域とその位置合せされる磁界マークとの間の距離が、少なくとも５ｍｍ、好ましくは少なくとも７ｍｍ、好ましくは少なくとも１０ｍｍである、請求項５に記載の材料。
【請求項７】
形成される包装のための前記磁気マークの少なくとも１つが、包装を形成する前記材料の縦縁部から、前記包装を形成するための前記材料の幅の２０％以下、好ましくは５％から１５％の間に位置決めされる、請求項１から６までのいずれかに記載の材料。
【発明の詳細な説明】
【技術分野】
【０００１】
本発明は、たとえば食品包装を形成するための、磁化可能な部分を備える包装材料に関する。
【背景技術】
【０００２】
１つの包装材料から包装容器が形成される包装技術では、包装材料を、包装前又は包装中に形成されて包装容器になるウェブとして提供することが知られている。形成、封止、折畳みなど、包装を仕上げるときの作業を誘導するために、たとえば光学的に読み取るための誘導マークが設けられてきた。そのような誘導マークは、見当マークと呼ばれることがある。光学的な読取り用の見当マークは、包装材料の印刷中に設けられ、そこでたとえば、装飾又は製品情報が包装ラミネート上に印刷される。そのような見当マークに関する問題は、包装の外側となる無視できない面積をこのマークが使用することである。さらなる問題は、そのような見当マークは、その印刷が、ウェブ上で実行される他の動作と良好に位置合せされる必要があることである。したがって、包装材料のウェブのマーク付けを改善して行うことが望ましい。
【先行技術文献】
【特許文献】
【０００３】
【特許文献１】欧州特許ＥＰ７０５７５９Ａ１
【発明の概要】
【発明が解決しようとする課題】
【０００４】
本発明は、包装材料上に磁気マークを設けることができるという理解に基づく。梱包材料内の磁気記録媒体内に情報を記憶させることが、たとえば欧州特許ＥＰ７０５７５９Ａ１において提案された。本開示では、ウェブから形成される意図される包装１つにつき１つ又は複数のスポットがウェブ上に形成され、スポットは、磁気マーキングが可能となるように磁化可能な粒子を備えることが提案される。
【課題を解決するための手段】
【０００５】
第１の態様によれば、包装材料から形成される１つの包装につき少なくとも１つのスポットを備える、複数の磁化可能な部分をその上に備える包装材料が提供される。磁化可能な部分の少なくとも１つは、磁界パターンを担持する磁気マークを提供する。磁界パターンは、第１の極性を有する第１の磁界ピーク、及び第２の反対の極性を有する第２の磁界ピークを備える。永久磁石によって安価に磁化することができる
【０００６】
材料は、材料のウェブが巻き取られるときのロールの想像軸に対して平行な横方向、横方向に対して垂直の縦方向、及び第１のピークの中間点と磁界パターンの第２のピークとの間の想像線を規定し、磁界パターンは、想像線と縦方向との間の角度が−１０°から１０°の間、好ましくは−５°から５°の間、好ましくは約０°となるように構成することができる。磁気パターンのピークは、実質的に一定の磁界を磁気パターンの幅に沿って想像線に対して垂直方向に形成し、著しく減少する磁界を磁気パターンの幅の外側に想像線に対して垂直方向に形成する分布を有することができる。その幅は、少なくとも２ｍｍ、好ましくは少なくとも４ｍｍ、好ましくは少なくとも６ｍｍとすることができる。
【０００７】
第２の磁界ピークは、材料の平面内で第１のピークを取り囲み、第１の磁界ピークに対して第２の反対の極性を有するように分布させることができる。
【０００８】
磁界パターンは、材料の平面内に位置を規定することができる。位置は、包装の仕上がりを強化するための前処理特徴部分に関して規定することができ、前処理特徴部分は、折れ目線、開口部、穴、包装の境界又は封止部、ウェブ開始部、ウェブの終端部、光学的マークの位置決め、包装の外側用の印刷を含む群のうちのいずれかを含む。前処理特徴部分の領域とその位置合せされる磁界マークとの間の距離は、少なくとも２ｍｍ、好ましくは少なくとも５ｍｍ、好ましくは少なくとも７ｍｍ、好ましくは少なくとも１０ｍｍである。
【０００９】
形成される包装の磁気マークの少なくとも１つは、包装を形成する材料の縦縁部から、包装を形成するための材料の幅の２０％以下、好ましくは５％から１５％の間に位置決めすることができる。
【図面の簡単な説明】
【００１０】
【図１】一実施例による包装ラミネートのウェブを示す概略図である。
【図２】ラミネート構造の一実例を示す図である。
【図３】一実施例による包装ラミネートのウェブを、磁化可能な部分の位置に関して示す概略図である。
【図４】磁化可能の部分の形状の様々な実例を示す図である。
【図５】一実施例による包装ラミネートのウェブを示す概略図である。
【図６】ラミネート構造の一実例を示す図である。
【図７】一実施例による包装ラミネートのウェブを示す概略図である。
【図８】一実施例による包装ラミネートのウェブを示す概略図である。
【図９】一実施例による磁化可能な部分を示す外略図である。
【図１０ａ】一実施例による磁界パターンを示す図である。
【図１０ｂ】一実施例による磁界パターンを示す図である。
【図１０ｃ】一実施例による磁界パターンを示す図である。
【図１１ａ】一実施例による磁界パターンを示す図である。
【図１１ｂ】一実施例による磁界パターンを示す図である。
【図１２ａ】一実施例による磁界パターンの読取りを示す概略図である。
【図１２ｂ】一実施例による磁界パターンの読取りを示す概略図である。
【図１２ｃ】一実施例による磁界パターンの読取りを示す概略図である。
【発明を実施するための形態】
【００１１】
図１は、複数の磁化可能な部分１０２が設けられた、包装材料のウェブ１００を示す。磁化可能な部分は、好ましくは、それらを印刷する際に、包装材料から形成される１つの包装１０４につき少なくとも１つの磁化可能な部分１０２が存在するように分布させられる。破線は想像線であり、包装を形成することになる複数の部分を示すことが意図される。磁気材料の消費、すなわち磁化可能なインクの消費を低減するために、磁化可能な部分は、磁気マークを位置づけることが意図される部分にスポットなどとして設けられる。磁気マークの印刷と割当てとの間の位置決めの精度が限られているので（前述の光学的マークに伴う問題と比較されたい）、スポットは、好ましくは磁気マークに必要とされる実際のサイズよりもわずかに大きい。したがって、通常の偏移には対処することができる。スポットはこうして、磁化可能な粒子を備え、磁気マークを備えることができ、以下でさらに明らかにするように、スポットの形及びサイズに応じて、より複雑な情報を変調された磁化により与えられることができる。包装材料は、好ましくはラミネートであり、又は、ポリマー材料など単層の材料である。
【００１２】
図２は、梱包ラミネート２００が、磁化可能な部分２０４の印刷を上に施すことができる紙の層２０２、及びプラスチックコーティング２０６の１つ又は複数の層を備えることができることを示す。ここでは、プラスチックコーティングという用語は、食品容器に適したポリマーを含む何らかのコーティングであると解釈されたい。梱包ラミネートはまた、金属箔の層も含むことができる。金属箔の層を通して磁気マークを書き込み、且つ読み取ることができるようにするために、金属は好ましくは、アルミニウムなど非強磁性である。磁化可能な部分の印刷は、好ましくは、層の片面上で行われ、形成される包装の内部となるところに面するラミネート上に印刷される。したがってこの印刷は、たとえば包装上の装飾又は製品情報などの外部印刷を邪魔しない。この印刷は、好ましくは、上記で明示したような磁化可能なインクを用い、乾燥したときに印刷が４μｍから１０μｍの間、好ましくは６μｍから８μｍの厚さとなるように行われる。
【００１３】
図３は、複数の磁化可能な部分３０２を備える包装材料３００のウェブを示す。磁化可能な部分は、包装材料３００から形成される１つの包装につき、少なくとも１つ又は複数の磁化可能な部分が存在するように分布させることができる。磁化可能な部分は、たとえば上記で示したような磁気インクによってもたらされる、磁化可能な粒子を備える。磁気可能な部分又は「スポット」は、磁気マーク及びそれが担持することになる磁気マークの意図に応じて、図４に示すように、様々な形状を有することができる。スポットは、正方形、長方形、円形、楕円形とすることができ、又はウェブの縦又は横方向に向けられる細長い形状を有することができる。スポットのサイズは、スポットが担持することになるマークのサイズに応じて選択される。好ましくは、スポットのサイズは、スポットの印刷とそれに対して設けられる磁気マークとの間の位置決めの偏移における何らかの問題を軽減するために、わずかに大きい。より大きいスポットは当然、より強い磁化力をもつことができ、情報が少ないマークの磁界を増大させるために用いることができ、そのマークは、特に厳しい信号状態における読取りがより容易になり、或いは、ウェブ又はウェブの特定の部分についての情報を担持するなど、より複雑な情報を有することになる。情報が少ないマークでは、スポットは２５０ｍｍ２以下の面積を有することができ、これは、正方形スポットでは１辺が約１５〜１６ｍｍ、又は約１７〜１８ｍｍの直径を有する円形スポットに相当する。多くの応用例では、１５０ｍｍ２以下の面積で十分であり、いくつかの応用例では、２５ｍｍ２又はさらに小さい面積で十分となることがある。複雑なデータを担持するための磁化可能な部分には、細長いスポット又はバーが適当となる可能性がある。細長い部分を、ウェブの縦方向に広がるように設けることによって、後の複雑なデータの連続的書込み及び読取りが、ウェブの製造中及び／又は包装の仕上げ中にウェブが動くときに、首尾よく可能になる。
【００１４】
印刷されたスポットは好ましくは、スポット面積１ｍ２あたり０．５ｇから４ｇの間の、一定量の磁気粒子を備える。より少ない量では、磁気情報を提供する能力が減少するおそれがあり、より多い量では、情報担持能力を改善することなく磁化可能なインクの消費が増加するだけとなるおそれがある。より高速に印刷することもまた、インクが裏移りするという問題を生じるおそれがあるため、特に高速印刷で問題となることがある。様々な条件下で情報担持能力を保証するための好ましい量は、１ｍ２あたり１．５ｇから４ｇの間である。確実な読取り／書込み、印刷、及びインク消費の経済性のバランスをとると、１ｍ２あたり約２ｇとなる。
【００１５】
細長いスポット又はバーの位置は、ウェブの方向の縁から所定の距離に位置決めされ、バー内に提供されるデータは、いくつかの応用例においてウェブを位置合せするために用いることもできる。
【００１６】
細長いスポット又はバーは、ウェブに沿った細長い帯状の部分とすることができ、形成される各包装につき１つの部分が存在するように、区分的に分割される。その分割は、好ましくは、磁化可能な印刷が存在しない分割位置にて、形成される包装を封止することが可能となるように位置決めされる。帯は、封止位置から所定の距離に配置されることにより、封止位置を指示する磁気マークを有することができる。
【００１７】
図５は、ここでは点として図示される複数の磁化可能な部分５０２をその上に備える、包装材料のウェブ５００を示す。ウェブ５００は、たとえば食品又は液体の包装用の、複数の包装を形成することが意図される。破線は想像線であり、包装を形成することになる複数の部分を示すことが意図される。ウェブ５００は、１つの包装につき少なくとも１つの磁化可能な部分を備える。こうして、包装材料から包装が形成されるとき、それぞれの包装はそれぞれ少なくとも１つの磁化可能な部分を有することになる。スポットは、好ましくは、幾何学形状、印刷、及び磁化可能なインクに関して、上記で示したものによる特徴の何らかの適当な組合せを有する。
【００１８】
材料は、たとえば複数の層を備える複合ラミネートなどのラミネートとすることができ、それぞれの層は、最終的な包装に所望の特性をもたらすために選択される。たとえば紙の層を水分から保護するため、最終的な包装を扱うことを容易にし、環境への露出に強くするため、且つ／又は単に最終的な包装の外見をよりよくするために、たとえばさらなるポリマー層６１０を設けることができる。ラミネートはまた、それが最終的な包装に所望の特性をもたらす場合、ラミネートと称されてはいるが、単一のポリマー層など単一の層を含むこともできる。ラミネート６００は、図６に示すように、紙の第１の層６０２及びプラスチック被覆の第２の層６０４を備えることができる。次いで磁化可能な部分は、たとえばスポットの形、又は幾何学形状に関して上記で示したような他の形状の、紙の層上に作り出される印刷６０８とすることができる。金属箔の第３の層６０６など、さらなる層が存在する可能性もある。最終的な包装の望ましい特性をもたらすために、異なる材料のさらなる又はより少ない層を設けることができる。ラミネートが金属箔層６０６を備える場合、ラミネートは、磁気的に記憶された情報及び／又は位置の印刷及び読取りのために、磁化可能な部分が金属箔を通して電磁的にアクセス可能となるように、好ましくはアルミニウムなど非強磁性金属で製作される。
【００１９】
それぞれの包装上に存在する少なくともいくつかのスポットは、最終的な包装の外側から見えないように印刷される。その理由はたとえば、包装の外側が、装飾及び／又は製品情報用に利用可能であるべきであるというものである。すなわち印刷は、好ましくは、包装の内側に面することが意図されるウェブの面上、又は少なくとも、上記のような紙の層など、包装の内側に面することが意図される適当な層上に施される。
【００２０】
図７は、複数の磁化可能な部分７０２をその上に備える、包装ラミネートのウェブ７００を示す。ウェブ７００は、包装ラミネートから形成される１つの包装につき、少なくとも１つのスポットを備える。さらに、包装の仕上げをより良くするための少なくとも１つの前処理特徴部分が、ウェブに設けられる。少なくとも１つの前処理特徴部分は、少なくとも１つの磁化可能な部分内の磁界マークと位置合せされる。たとえば、図７に示すように、包装の迅速且つ信頼性の高い仕上げを可能にするために、折れ目線がウェブ内に作られる。折れ目線を製作するときに、マークは、折れ目線の製作と同時に、磁化可能な部分内に所定の磁界として形成される。折れ目線を製作するための機構、すなわちパターン化された溝／突起を有するローラは、磁化要素を備えることができる。これにより磁気マークは折れ目線製作動作と確実に位置合せされる。磁化要素は、磁界マークを設けるための永久磁石又は電磁石とすることができる。折り目ローラの円周に設けられた磁石が磁化可能な部分のごく付近にくるとき、磁化可能な部分の磁化可能な粒子が磁化され、磁界パターンが磁化可能な部分に残る。こうして、磁界マークが設けられる。好ましくは、磁化可能な部分は、磁界マーク、すなわち残っている磁性を有する磁化可能な部分の幾何学的サイズよりも、わずかに大きい。したがって、磁化可能な部分自体の印刷ではなく、磁界マークが正確な位置を提供する要素となるので、磁化可能な部分の位置合せは極めて重大な問題ではなくなる。適当な磁気パターンを設けることにより、以下で議論するように、正確な磁界マークを正確に読み取ることもできる。
【００２１】
前処理特徴部分は、折れ目線を設ける以外に、開口部、穴などを設けて形成することもできる。位置合せは同じ原理に従い、すなわち、位置合せが構造により固有となるように、磁化する部分は前処理特徴部分を設ける機構に設けられる。
【００２２】
前処理特徴部分を実行する機構内に磁化要素を適用することにより、いくつかの問題が生じることがある。磁化要素はたとえば、前処理特徴部分が、折れ目線の形成又は穴のパンチングなど包装ラミネートとの機械的相互作用を要求する位置に設けることができない場合がある。したがって、好ましくは、そのような前処理特徴部分とその位置合せされる磁界マークとの間に距離を設ける。さらに、上述のような相互作用を実行するツールを、強磁性材料で製作することができる。磁界マークの適用を改善するために、距離をさらに増大することができるアルミニウムなど非強磁性材料製の保持又は取付け手段を、磁化要素に設けることが必要となることがある。こうして、前処理特徴部分の動作、及びそれを実行するツールに応じて、距離は好ましくは、たとえば少なくとも５ｍｍ、少なくとも７ｍｍ、又は少なくとも１０ｍｍとなる。
【００２３】
特徴部分の前処理を実行するいくつかの作業において、そのようなそれぞれの動作がその位置合せされた磁界マークを有することが好ましい。それらの様々な磁界マークは、それぞれ好ましくは、動作のための位置内に適合されたそれぞれの磁化可能な部分内に製作される。いくつかの動作が相互作用することがあるので、１つの動作は、別の動作によりマスターマークとして製作された磁界マークを用いることができ、又は、いかなる特徴部分の前処理動作とも固有に位置合せされない、ある専用のマスターマークを設けることができ、そのマークは、後に実行される動作によって参照するためにのみ使用される。
【００２４】
他の磁界マークは、複雑なデータを保持することができ、たとえば長い長方形スポット、すなわち帯（ストリップ）として設けることができる。帯は、包装を仕上げるときに切断されることが意図される部分で中断され、又は中断されずに、ウェブ全体に沿って設けることができる。複雑なデータを保持する磁界マークは、たとえば、固有のコードを提供することができ、そこからウェブ及びウェブの一部も識別することができる。複雑なデータはまた、位置情報、包装を仕上げるための指示などを与えることもできる。
【００２５】
図８は、ウェブ８００の一例を示し、ウェブ８００は、折れ目線８０２と、位置合せされた磁界マークによる折れ目線のための位置情報を保持する、磁化可能な部分８０４とを備える。ウェブ８００はまた、形成される各包装用のパンチングされた穴８０６、及び、位置合せされた磁界マークによる、それぞれのパンチングされた穴８０６のための位置情報を保持する磁化可能な部分８０８も備える。この磁界マークは、たとえば、再び閉じることができる開口部を、完成時に包装上に成形するときに使用することができる。ウェブ８００はまた、たとえば上記で説明したような複雑なデータを保持する、帯８１０を備える。
【００２６】
さらなる位置情報は、動作がウェブを分割して包装を形成する部分にするため、又はそれぞれの包装を封止するための、包装の境界又は封止部とすることができる。
【００２７】
磁化可能な部分が保持することができるさらなる位置情報は、ウェブの接合時に接合部を位置合せすることができるように、包装材料のウェブの端部、すなわちウェブの開始部及び／又はウェブの終端部にある磁気位置マークである。
【００２８】
さらなる位置情報は、光学的マークの位置決めであり、これは、位置決め情報の光学的読取り又は磁気的読取りのいずれかを有する包装機械のために、有益な互換性となることがある。好ましくは、この情報を保持するスポットの位置は、光学的マークと同様に、ただし包装の内側となることが意図される面上に配置される。光学的マークは通常、包装の底部を形成することが意図される部分上に設けられるので、対応する磁化可能な部分が、それに応じて位置決めされる。この磁化可能な部分における磁気マークは、光学的マークと同様の情報を提供することができるようにされ、包装機械の光学的読取器は、磁気的読取器で単純に置き換えることができる。実際には、光学的読取器が磁気的読取器で置き換えられ、磁気マークが上記のように光学的マークに置き換わる場合、光学的マークは不必要である。その場合、包装機械内の読取器の取付け位置が同じであるという意味で互換性がある。
【００２９】
さらなる位置情報は、包装の外側用の印刷のためのものとすることができる。この位置情報は、印刷と、包装及び包装の他の特徴部分の前処理とを、確実に正しく位置合せするために有益となる可能性がある。
【００３０】
磁界マークを製作する際に、磁界マークを書き込む手段、たとえば永久磁石又はコイル構成が、互いにほとんど又は全く相対運動をせず、又は磁化可能な部分に対して少なくともほぼ一定の相対運動をすることが有益となる場合がある。これは、たとえば折れ目線を製作するためのローラなどと書込み手段を一体化することによって達成され、ローラの円周とウェブが同じ速度で同じ方向に動くので、相対運動が存在しない。相対運動を全く又はほとんど生じない、或いは磁化可能な部分に対して少なくともほぼ一定の相対運動を生じる別の方法は、書込みの位置の運動を制御することである。これは、この位置での速度を、ウェブの速度と無関係にその位置の前後で制御することができるように、書込み位置の前後の両方にウェブのたるんだ部分を有することによって行うことができる。たるみは、ウェブを波形通路に沿って動かすことにより実現することができ、波のサイズは、様々なたるみをもたらすように調整可能である。こうして、書込み動作中に、書込み位置にて速度を制御することができ、ウェブは、書込み動作の間に、ウェブの平均速度に適合するように加速又は減速される。
【００３１】
形成されるそれぞれの包装のスポットの少なくとも１つは、包装を形成する材料の縦縁部から、包装を形成する材料の幅の２０％以下、好ましくは５％から１５％の間に位置決めすることができる。そのようなスポットでの磁界マークは、次いで、包装を形成するときに材料のねじりを制御するために使用することができる。包装の形成は、通常、ある種の管によって行われ、これは次いで、なんらかのやり方でその端部で封止され、所望の形状に形成される。管はその後、不本意にねじられる可能性があり、それにより包装の形成が損なわれるおそれがある。したがって、そのような磁界マークは、包装を確実に形成するために、管のいかなるねじりの制御も助けることができる。これらの磁気マークを、管を形成するために接合される縦縁部の比較的近くに有することにより、磁界マークの読取りを包装の接合が行われる面から行うことができるので、制御がさらに向上する。
【００３２】
複数の磁化可能な部分をその上に備える包装材料について考えると、包装材料から形成される１つの包装につき少なくとも１つのスポットが含まれ、磁化可能な部分の少なくとも１つは、磁界パターンを担持する磁気マークを提供することができる。こうして、磁気マークは、情報担体となる。担持される情報は、それがウェブ上の特定の位置上に製作されるという意味で幾何学的であり、材料の製造から包装の仕上げまでの様々な工程ステップを通じて維持される。この情報はまた、磁界のパターンの意味であり、このパターンは、信頼性の高い位置検出のためのパターンとすることができる。
【００３３】
磁化可能な部分９０２を有する包装材料のウェブ９００の一部を図示する図９を参照しながら、磁界パターンのいくつかの例について議論する。ウェブが巻き取られるときのローラの想像軸に対して平行に規定される横方向Ｔ、及び横方向に対して垂直な縦方向Ｌを規定することができ、横断線ｔ１及びｔ２が、図１０及び図１１における例示的な磁界を図示するために割り当てられる。
【００３４】
磁界パターンは、第１の極性を有する第１の磁界ピーク、及び第２の反対の極性を有する第２の磁界ピークを備える。図１０は、この一例を示し、図１０ａは、縦方向Ｌに沿った磁界パターンを示す図であり、図１０ｂは、線ｔ１に沿った磁界パターンを示す図であり、図１０ｃは、線ｔ２に沿った磁界パターンを示す図である。そのような磁界パターンは、磁気マークの適用中に磁化可能な部分の付近に配置される、Ｎ極及びＳ極を有する永久磁石など単一の磁石によって実現することができ、磁化可能な部分の磁気インクの磁気粒子に残る磁界は、たとえば、図１０に示すもののようになる。縦方向Ｌ内の位置は、次いで、好ましくは磁界の移動を観察することによって検出され、これにより、縦方向Ｌにおける非常に正確な位置指示がもたらされる。横方向Ｔにおける位置は、好ましくは、たとえば差動測定技術などにより磁界の側面を観察することによって検出され、横方向Ｔにおける正確な追跡を可能にする。
【００３５】
図１０に示されるパターンは、方向Ｔ及びＬと完全に位置合せされる。ただし、そのような完全な位置合せは必ずしも必要ではない。磁界パターンの第１のピークの中間点及び第２のピークの間の想像線について考えると、磁界パターンは、想像線と縦方向Ｌとの間の角度が−１０°から１０°の間となるように構成することができる。好ましい実施例では、角度は−５°から５°の間である。ただし、多くの応用例では、図１０に示すように、角度は好ましくは約０°である。磁気パターンのピークは、たとえば図１０ｂ及び図１０ｃに示すように、ほぼ一定の磁界を磁気パターンの幅に沿って想像線に対して垂直方向に形成し、著しく減少する磁界を磁気パターンの幅の外側に想像線に対して垂直方向に形成する分布を有する。この幅は、干渉なしで側面の検出を可能にするためには、好ましくは少なくとも２ｍｍである。信頼性をより高めるためには、この幅は、好ましくは少なくとも４ｍｍであり、いくつかの応用例では、好ましくは少なくとも６ｍｍである。
【００３６】
図１１に示すような、磁界パターンの構成の別の実施例によれば、磁界パターンは、第１の極性を有する第１の磁界ピークと、及び第１のピークを取り囲むように分布し第２の反対の極性を有する、第２の磁界ピークとを有する。方向Ｔ及びＬのこの磁界パターンを観察することで、磁界パターンの線対称特性が示される。こうして、同じ原則に従う検出を、いかなる方向にも行うことができる。たとえば、様々な測定技術を用いて、磁界の２つのゼロ交差を観察することができる。別の例は、単純に、磁界パターンの主な中央ピークを観察することである。
【００３７】
実際は、磁気マークを読み取るとき、コイル構成など読取り手段は包装材料を相対的に通過し、その極を相対運動の方向に有する図１２ａに示すような磁気マークからの磁界線は、図１２ｂに示すような読取りをもたらす。相対運動の方向にわずかに離隔された２つの読取り手段を設けることにより、及びそれらから差分信号を取ることにより、読取りは、代わりに図１２ｃに示すようなものになる。この読取りから、誤差を生じにくい位置検出の結果を得ることができる。また、図１２ａに示すもののような磁気マークは、材料に対する磁気マークの極性の方向を選択することにより、１ビットの情報を提供するように構成することができる。読取りは次いで、全く同様に、図１２ｂ及び図１２ｃの図と比較される。１ビットの情報は、たとえば、磁気マークが位置合せされる材料の前処理特徴部分のタイプを指示することができる。
【図１】
0005497892.tif 000002
【図２】
0005497892.tif 000003
【図３】
0005497892.tif 000004
【図４Ａ）】
0005497892.tif 000005
【図４Ｂ）】
0005497892.tif 000006
【図４Ｃ）】
0005497892.tif 000007
【図４Ｄ）】
0005497892.tif 000008
【図４Ｅ）】
0005497892.tif 000009
【図４Ｆ）】
0005497892.tif 000010
【図４Ｇ）】
0005497892.tif 000011
【図５】
0005497892.tif 000012
【図６】
0005497892.tif 000013
【図７】
0005497892.tif 000014
【図８】
0005497892.tif 000015
【図９】
0005497892.tif 000016
【図１０ａ】
0005497892.tif 000017
【図１０ｂ】
0005497892.tif 000018
【図１０ｃ】
0005497892.tif 000019
【図１１ａ】
0005497892.tif 000020
【図１１ｂ】
0005497892.tif 000021
【図１２ａ】
0005497892.tif 000022
【図１２ｂ】
0005497892.tif 000023
【図１２ｃ】
0005497892.tif 000024